【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
割り当てられたフィルタ係数を伴う割り当てられたフィルタ関数、入力受信入力サンプル、別の入力受信信頼値、および出力を備える有限インパルス応答デジタルフィルタであって、
各入力サンプル値は、入力信頼値に関連付けられ、信頼値は、関連付けられた入力サンプルが、欠落しているサンプルであるか、または有用な情報を搬送しないことが既知であるサンプルであるかどうかを示し、
前記フィルタ出力は、前記入力サンプルおよび前記入力信頼値の両方に依存し、フィルタ係数加重のうちのいくつかは、それらの対応する入力サンプルに関係付けられる前記信頼値に依存して消去され、前記消去されたフィルタ係数加重のうちの排除された加重の合計は、残りのフィルタ加重のうちの少なくともいくつかの上に再分配される、有限インパルス応答デジタルフィルタ。
【請求項２】
前記消去された加重は、前記残りのフィルタ加重の全ての上に再分配される、請求項１に記載の有限インパルス応答フィルタ。
【請求項３】
サンプリングされる信号は、変調された値を備え、前記信号または前記信号のサンプリングされた値は、前記有限インパルス応答フィルタによって受信される前に復調される、請求項２に記載の有限インパルス応答フィルタ。
【請求項４】
前記変調された値は、少なくとも２つのグループの値を備え、１つのグループと関連付けられる部分的集約除去加重は、同一グループと関連付けられる残りのフィルタ加重上のみに再分配される、請求項３に記載の有限インパルス応答フィルタ。
【請求項５】
再分配は、前記残りのフィルタ加重のうちの前記少なくともいくつかにわたって前記集約除去加重の均一な分担を再分配することによって行われる、請求項１に記載の有限インパルス応答フィルタ。
【請求項６】
前記排除された加重の合計は、その対応する入力サンプルに関係付けられる別の係数加重相対信頼によって増減される前記排除された加重の合計が、各修正されたフィルタ係数に加算されるように、修正されたフィルタ係数上に分配される、請求項１に記載の有限インパルス応答フィルタ。
【請求項７】
前記別の係数加重相対信頼は、相対信頼である、請求項６に記載の有限インパルス応答フィルタ。
【請求項８】
前記割り当てられたフィルタ関数は、低域通過フィルタ関数である、請求項１に記載の有限インパルス応答フィルタ。
【請求項９】
前記低域通過は、高域通過または帯域通過を同等の低域通過領域に変換することから取得されている、請求項８に記載の有限インパルス応答フィルタ。
【請求項１０】
前記有限インパルス応答フィルタは、前記入力サンプルまたは信頼加重入力サンプル、および関連信頼値をバッファアリングするための手段を備える、請求項１に記載の有限インパルス応答フィルタ。
【請求項１１】
前記フィルタは、前記入力サンプルまたは前記信頼加重入力サンプル用のバッファと、前記関連信頼値用のバッファとを備える、請求項１０に記載の有限インパルス応答フィルタ。
【請求項１２】
出力信頼値が提供される、請求項１に記載の有限インパルス応答フィルタ。
【請求項１３】
前記割り当てられたフィルタ関数は、正の値の係数のみまたは負の値の係数のみを有する、請求項１に記載の有限インパルス応答フィルタ。
【請求項１４】
前記割り当てられたフィルタ関数は、別のゼロではない係数と異なる大きさを伴う、少なくとも１つのゼロではない値の係数を有する、請求項１に記載の有限インパルス応答フィルタ。
【請求項１５】
ゼロ値の信頼入力と関連付けられる入力サンプルは、フィルタ出力値に寄与しない、請求項１に記載の有限インパルス応答フィルタ。
【請求項１６】
信頼入力を低減させることは、前記フィルタ出力への前記関連入力サンプルの寄与を低減させる、請求項１に記載の有限インパルス応答フィルタ。
【請求項１７】
信頼入力を低減させることは、前記フィルタ出力への前記関連入力サンプルの寄与を低減させ、前記フィルタ出力値への他の入力サンプルのうちの１つ以上の寄与を増加させ得る、請求項１６に記載の有限インパルス応答フィルタ。
【請求項１８】
前記フィルタ出力値を計算するレートは、前記割り当てられたフィルタの長さで除算された入力レートより高い、請求項１に記載の有限インパルス応答フィルタ。
【請求項１９】
有限インパルス応答デジタルフィルタのＤＣ利得は、一定またはほぼ一定である、請求項１に記載の有限インパルス応答フィルタ。
【請求項２０】
前記信頼値は、２進である、請求項１に記載の有限インパルス応答フィルタ。
【請求項２１】
前記有限インパルス応答デジタルフィルタは、各離散時間ステップにおいて、前記２進信頼情報の値と関連付けられる入力サンプルに割り当てられたフィルタ加重がゼロに設定されているかどうかを判定するように構成され、ゼロに設定される前のこれらの加重の合計は、残りの係数のセット上に分配される、請求項２０に記載の有限インパルス応答フィルタ。
【請求項２２】
前記合計は、残りの係数上にほぼ均一に分配される、請求項２１に記載の有限インパルス応答フィルタ。
【請求項２３】
前記合計は、前記合計で除算された元のフィルタ係数の合計で各残りのフィルタ係数を近似的に乗算することによって、残りの係数上に分配される、請求項２１に記載の有限インパルス応答フィルタ。
【請求項２４】
前記信頼情報は、非２進である、請求項１に記載の有限インパルス応答フィルタ。
【請求項２５】
前記フィルタ出力は、前記割り当てられたフィルタ関数を用いてフィルタ処理されている、線形変換された信頼入力値に依存する、請求項１に記載の有限インパルス応答フィルタ。
【請求項２６】
前記信頼値用のそのバッファは、ゼロ信頼で初期化される、請求項４に記載の有限インパルス応答フィルタ。
【請求項２７】
入力データまたは信頼加重入力データのタップ遅延線、および信頼値のタップ遅延線は、少なくともほぼ同一である、請求項４に記載の有限インパルス応答フィルタ。
【請求項２８】
前記入力信頼値を受信し、第１および第２の係数を使用して第１および第２の出力値を生成する、第１のタップ遅延線を有する第１の分岐であって、前記第１の出力値は、前記第１の係数の合計から前記第１のタップ遅延線の第１の係数加重出力合計を減算することによって生成され、前記第２の出力値は、第２の係数加重出力合計の乗法の逆元を計算することによって生成され、第１および第２の出力値は、第１の分岐出力値を形成するように乗算される、第１の分岐と、
関連信頼値によって乗算された前記サンプル値を受信し、前記第１および第２の係数を使用して第３および第４の出力値を生成する、第２のタップ遅延線を有する第２の分岐であって、前記第３の出力値は、前記第２のタップ遅延線の第２の係数加重出力合計を前記第１の分岐出力値で乗算することによって生成され、フィルタ出力値は、前記第３および第４の出力値を加算することによって生成される、第２の分岐と
を備える、請求項１に記載の有限インパルス応答フィルタ。
【請求項２９】
第１および第３の係数は、同一であり、第２および第４の係数は、同一である、請求項２８に記載の有限インパルス応答フィルタ。
【請求項３０】
前記第２の係数のセットの全ての係数は、同一の値を有する、請求項２８に記載の有限インパルス応答フィルタ。
【手続補正２】
【補正対象書類名】明細書
【補正対象項目名】００１５
【補正方法】変更
【補正の内容】
【００１５】
さらなる実施形態によると、割り当てられたフィルタ関数は、低域通過フィルタ関数であり得る。さらなる実施形態によると、低域通過は、高域通過または帯域通過を同等の低域通過領域に変換することから取得されてもよい。さらなる実施形態によると、ＦＩＲフィルタは、入力サンプルまたは信頼加重入力サンプルおよび関連信頼値をバッファアリングするための手段を備えてもよい。さらなる実施形態によると、フィルタは、入力サンプルまたは信頼加重入力サンプル用のバッファと、関連信頼値用のバッファとを備えてもよい。さらなる実施形態によると、フィルタ係数加重は、それらの対応する入力サンプルに関係付けられる信頼値に応じて修正または排除されることができ、修正または排除されたフィルタ係数加重の集約除去加重は、残りのフィルタ加重のうちの少なくともいくつかの上に再分配される。さらなる実施形態によると、集約除去加重は、残りのフィルタ加重の全ての上に再分配されることができる。さらなる実施形態によると、サンプリングされる信号は、変調された値を備えてもよく、信号または信号のサンプリングされた値は、ＦＩＲフィルタによって受信される前に復調される。さらなる実施形態によると、変調された値は、少なくとも２つのグループの値を備えてもよく、１つのグループと関連付けられる部分的集約除去加重は、同一グループと関連付けられる残りのフィルタ加重上のみに再分配される。さらなる実施形態によると、再分配は、残りのフィルタ加重のうちの少なくともいくつかにわたって集約除去加重の均一な分担を再分配することによって行われることができる。さらなる実施形態によると、集約除去加重は、その対応する入力サンプルに関係付けられるｇ加重相対信頼によって増減される集約除去加重が、各修正されたフィルタ係数に加算されるように、修正されたフィルタ係数上に分配される。さらなる実施形態によると、ｇ加重相対信頼は、相対信頼であり得る。さらなる実施形態によると、出力信頼値が提供されることができる。さらなる実施形態によると、割り当てられたフィルタ関数は、正の値の係数または負の値の係数のみを有してもよい。さらなる実施形態によると、割り当てられたフィルタ関数は、別のゼロではない係数と異なる大きさを伴う、少なくとも１つのゼロではない値の係数を有してもよい。さらなる実施形態によると、ゼロ値の信頼入力と関連付けられる入力サンプルは、フィルタ出力値に寄与しない。さらなる実施形態によると、信頼入力を低減させることは、フィルタ出力への関連入力サンプルの寄与を低減させる。さらなる実施形態によると、信頼入力を低減させることは、フィルタ出力への関連入力サンプルの寄与を低減させてもよく、フィルタ出力値への他の入力サンプルのうちの１つ以上の寄与を増加させてもよい。さらなる実施形態によると、フィルタ出力値を計算するレートは、割り当てられたフィルタの長さで除算された入力レートより高くあり得る。さらなる実施形態によると、ＦＩＲデジタルフィルタのＤＣ利得は、一定またはほぼ一定であり得る。さらなる実施形態によると、信頼情報は、２進であり得る。さらなる実施形態によると、ＦＩＲデジタルフィルタは、各離散時間ステップにおいて、２進信頼情報の値と関連付けられる入力サンプルに割り当てられたフィルタ加重がゼロに設定されているかどうかを判定するように構成されることができ、ゼロに設定される前のこれらの加重の合計は、残りの係数のセット上に分配される。さらなる実施形態によると、合計は、残りの係数上にほぼ均一に分配されることができる。さらなる実施形態によると、合計は、合計で除算された元のフィルタ係数の合計で各残りのフィルタ係数を近似的に乗算することによって、残りの係数上に分配されることができる。さらなる実施形態によると、信頼情報は、非２進であり得る。さらなる実施形態によると、信頼情報のより大きい値は、関連入力値へのより高い信頼を意味する、またはより大きい値は、関連入力値へのより低い信頼を意味する。さらなる実施形態によると、フィルタ出力は、割り当てられたフィルタ関数を用いてフィルタ処理されている、線形変換された信頼入力値に依存し得る。さらなる実施形態によると、信頼値用のそのバッファは、ゼロ信頼で初期化されることができる。さらなる実施形態によると、入力データまたは信頼加重入力データのタップ遅延線、および信頼値のタップ遅延線は、少なくともほぼ同一であり得る。さらなる実施形態によると、ＦＩＲフィルタはさらに、入力信頼値を受信し、第１および第２の係数を使用して第１および第２の出力値を生成する、第１のタップ遅延線を有する第１の分岐であって、第１の出力値は、第１の係数の合計から第１のタップ遅延線の第１の係数加重出力を減算することによって生成され、第２の出力値は、第２の係数加重出力合計の乗法の逆元を計算することによって生成され、第１および第２の出力値は、第１の分岐出力値を形成するように乗算される、第１の分岐と、関連信頼値によって乗算されたサンプル値を受信し、第３および第４の係数を使用して第３および第４の出力値を生成する、第２のタップ遅延線を有する第２の分岐であって、第３の出力値は、第２のタップ遅延線の第３の係数加重出力合計を第１の分岐出力値で乗算することによって生成され、フィルタ出力値は、第３および第４の出力値を加算することによって生成される、第２の分岐とを備えてもよい。さらなる実施形態によると、第１および第３の係数は、同一であり得、第２および第４の係数は、同一である。さらなる実施形態によると、第２の係数のセットおよび第４の係数のセットの全ての係数は、同一の値を有してもよい。
本願明細書は、例えば、以下の項目も提供する。
（項目１）
割り当てられたフィルタ係数を伴う割り当てられたフィルタ関数、入力受信入力サンプル、別の入力受信信頼情報値、および出力を備える有限インパルス応答（ＦＩＲ）デジタルフィルタであって、
各入力サンプル値は、入力信頼値に関連付けられ、
前記フィルタ出力は、前記入力サンプルおよび前記入力信頼値の両方に依存する、ＦＩＲデジタルフィルタ。
（項目２）
フィルタ係数加重は、それらの対応する入力サンプルに関係付けられる前記信頼値に応じて修正または排除され、前記修正または排除されたフィルタ係数加重の集約除去加重は、残りのフィルタ加重のうちの少なくともいくつかの上に再分配される、項目１に記載のＦＩＲフィルタ。
（項目３）
前記集約除去加重は、前記残りのフィルタ加重の全ての上に再分配される、項目２に記載のＦＩＲフィルタ。
（項目４）
サンプリングされる信号は、変調された値を備え、前記信号または前記信号のサンプリングされた値は、前記ＦＩＲフィルタによって受信される前に復調される、項目２または３に記載のＦＩＲフィルタ。
（項目５）
前記変調された値は、少なくとも２つのグループの値を備え、１つのグループと関連付けられる部分的集約除去加重は、同一グループと関連付けられる残りのフィルタ加重上のみに再分配される、項目４に記載のＦＩＲフィルタ。
（項目６）
再分配は、前記残りのフィルタ加重のうちの前記少なくともいくつかにわたって前記集約除去加重の均一な分担を再分配することによって行われる、項目２に記載のＦＩＲフィルタ。
（項目７）
前記集約除去加重は、その対応する入力サンプルに関係付けられるｇ加重相対信頼によって増減される前記集約除去加重が、各修正されたフィルタ係数に加算されるように、修正されたフィルタ係数上に分配される、項目２に記載のＦＩＲフィルタ。
（項目８）
前記ｇ加重相対信頼は、相対信頼である、項目７に記載のＦＩＲフィルタ。
（項目９）
前記割り当てられたフィルタ関数は、低域通過フィルタ関数である、項目１〜８のうちの１項に記載のＦＩＲフィルタ。
（項目１０）
前記低域通過は、高域通過または帯域通過を同等の低域通過領域に変換することから取得されている、項目９に記載のＦＩＲフィルタ。
（項目１１）
前記ＦＩＲフィルタは、前記入力サンプルまたは信頼加重入力サンプル、および関連信頼値をバッファアリングするための手段を備える、項目１〜１０のうちの１項に記載のＦＩＲフィルタ。
（項目１２）
前記フィルタは、前記入力サンプルまたは前記信頼加重入力サンプル用のバッファと、前記関連信頼値用のバッファとを備える、項目１１に記載のＦＩＲフィルタ。
（項目１３）
出力信頼値が提供される、項目１〜１２のうちの１項に記載のＦＩＲフィルタ。
（項目１４）
前記割り当てられたフィルタ関数は、正の値の係数のみまたは負の値の係数のみを有する、項目１〜１３のうちの１項に記載のＦＩＲフィルタ。
（項目１５）
前記割り当てられたフィルタ関数は、別のゼロではない係数と異なる大きさを伴う、少なくとも１つのゼロではない値の係数を有する、項目１〜１４のうちの１項に記載のＦＩＲフィルタ。
（項目１６）
ゼロ値の信頼入力と関連付けられる入力サンプルは、フィルタ出力値に寄与しない、項目１〜１５のうちの１項に記載のＦＩＲフィルタ。
（項目１７）
信頼入力を低減させることは、前記フィルタ出力への前記関連入力サンプルの寄与を低減させる、項目１〜１６のうちの１項に記載のＦＩＲフィルタ。
（項目１８）
信頼入力を低減させることは、前記フィルタ出力への前記関連入力サンプルの寄与を低減させ、前記フィルタ出力値への他の入力サンプルのうちの１つ以上の寄与を増加させ得る、項目１７に記載のＦＩＲフィルタ。
（項目１９）
前記フィルタ出力値を計算するレートは、前記割り当てられたフィルタの長さで除算された入力レートより高い、項目１〜１８のうちの１項に記載のＦＩＲフィルタ。
（項目２０）
ＦＩＲデジタルフィルタのＤＣ利得は、一定またはほぼ一定である、項目１〜１９のうちの１項に記載のＦＩＲフィルタ。
（項目２１）
前記信頼情報は、２進である、項目１〜２０のうちの１項に記載のＦＩＲフィルタ。
（項目２２）
前記ＦＩＲデジタルフィルタは、各離散時間ステップにおいて、前記２進信頼情報の値と関連付けられる入力サンプルに割り当てられたフィルタ加重がゼロに設定されているかどうかを判定するように構成され、ゼロに設定される前のこれらの加重の合計は、残りの係数のセット上に分配される、項目２１に記載のＦＩＲフィルタ。
（項目２３）
前記合計は、残りの係数上にほぼ均一に分配される、項目２２に記載のＦＩＲフィルタ。
（項目２４）
前記合計は、前記合計で除算された元のフィルタ係数の合計で各残りのフィルタ係数を近似的に乗算することによって、残りの係数上に分配される、項目２２に記載のＦＩＲフィルタ。
（項目２５）
前記信頼情報は、非２進である、項目１〜２０のうちの１項に記載のＦＩＲフィルタ。
（項目２６）
信頼情報のより大きい値は、関連入力値へのより高い信頼を意味し、または、より大きい値は、関連入力値へのより低い信頼を意味する、項目２５に記載のＦＩＲフィルタ。
（項目２７）
前記フィルタ出力は、前記割り当てられたフィルタ関数を用いてフィルタ処理されている、線形変換された信頼入力値に依存する、項目１〜２６のうちの１項に記載のＦＩＲフィルタ。
（項目２８）
信頼値用のそのバッファは、ゼロ信頼で初期化される、項目５に記載のＦＩＲフィルタ。
（項目２９）
入力データまたは信頼加重入力データのタップ遅延線、および信頼値のタップ遅延線は、少なくともほぼ同一である、項目５に記載のＦＩＲフィルタ。
（項目３０）
前記入力信頼値を受信し、第１および第２の係数を使用して第１および第２の出力値を生成する、第１のタップ遅延線を有する第１の分岐であって、前記第１の出力値は、前記第１の係数の合計から前記第１のタップ遅延線の第１の係数加重出力合計を減算することによって生成され、前記第２の出力値は、第２の係数加重出力合計の乗法の逆元を計算することによって生成され、第１および第２の出力値は、第１の分岐出力値を形成するように乗算される、第１の分岐と、
関連信頼値によって乗算された前記サンプル値を受信し、第３および第４の係数を使用して第３および第４の出力値を生成する、第２のタップ遅延線を有する第２の分岐であって、前記第３の出力値は、前記第２のタップ遅延線の第３の係数加重出力合計を前記第１の分岐出力値で乗算することによって生成され、フィルタ出力値は、前記第３および第４の出力値を加算することによって生成される、第２の分岐と
を備える、項目１に記載のＦＩＲフィルタ。
（項目３１）
前記第１および第３の係数は、同一であり、前記第２および第４の係数は、同一である、項目３０に記載のＦＩＲフィルタ。
（項目３２）
前記第２の係数のセットおよび前記第４の係数のセットの全ての係数は、同一の値を有する、項目３０に記載のＦＩＲフィルタ。